(57)【要約】【課題】体圧分散効果が高く、かつ、人体に効果的に磁力線を作用させることができるマットレスを提供する。【解決手段】積層構造のマットレス本体を備えたマットレスにおいて、マットレス本体２は、体と反対側に位置する第１低反発マット２１と、第１低反発マット２１に重ねられる磁力シート２２と、磁力シート２２にさらに重ねられるジェルマット２３と、体が当接する側の第２低反発マット２４と、を備えた四層構造で、磁力シート２２はゴム状弾性を有する高分子材料に磁性粉を分散させ磁化させた可撓性のシート状部材によって構成され、ジェルマット２３は多数の筒状のセルを隙間なく配列したジェル状物質で構成されている。【選択図】図１
0003234739.tif 000002
【実用新案登録請求の範囲】
【請求項１】
積層構造のマットレス本体を備えたマットレスにおいて、
前記マットレス本体は、体と反対側に位置する第１低反発マットと、該第１低反発マットに重ねられる磁力シートと、該磁力シートにさらに重ねられるジェルマットと、体が当接する側の第２低反発マットと、を備えた四層構造で、
前記磁力シートはゴム状弾性を有する高分子材料に磁性粉を分散させ磁化させた可撓性のシート状部材によって構成され、前記ジェルマットは多数の筒状のセルを隙間なく配列したジェル状物質で構成されていることを特徴とするマットレス。
【請求項２】
前記ジェルマットは、前記セルが六角筒形状のハニカム構造となっている請求項１に記載のマットレス。
【請求項３】
前記第１低反発マットの厚さは、前記第２低反発マットの厚さよりも大きい請求項１または２に記載のマットレス。
【請求項４】
前記マットレス本体は、長手方向に複数に分割され、各分割部がアウタカバーを構成する複数の収納部に収納され、各収納部を接続する接続部において、折り畳み可能となっている請求項１乃至３のいずれか１項に記載のマットレス。
【請求項５】
前記アウタカバーの収納部に収納される前記マットレス本体の各分割部は、インナカバーに収納されて一体化されている請求項４に記載のマットレス。
【考案の詳細な説明】
【技術分野】
【０００１】  本考案は、寝具として利用されるマットレスに関し、特に体圧分散効果を高めたマットレスに関する。
【背景技術】
【０００２】  従来から、体圧分散効果を高めるマットレスとして、たとえば、特許文献１に記載のような積層マットレスが知られている。このマットレスは、第１の表面芯材と、第２の表面芯材と、第１の表面芯材と第２の表面芯材との間に配置される中間芯材と、を備えている。各心材は異なる機能を有し、それらの組み合わせで、体圧の分散を図るものであるが、中間芯材に高反発の芯材が用いられているために、硬さが感じられ、体圧分散効果が十分とは言えない。
また、横臥時の血行を促進するマットレスとして、たとえば、特許文献２に記載のような磁気マットが知られている。このような磁気マットは、クッション性を有する心材の所定位置に、複数の小さい永久磁石が配列され、人体に磁力線を作用させ、血行促進を図るものである。永久磁石が人体から離れていると磁力線が効果的に作用しないので、心材の表面付近に配置されている。この永久磁石の支持部は、回りの心材に比べると局部的に硬くなっており、せっかくの心材のクッション性を損なうものとなっている。
【先行技術文献】
【特許文献】
【０００３】
【特許文献１】特開２０１９−５０９２９号公報
【特許文献２】特開平４−１９３１８６号公報
【考案の概要】
【考案が解決しようとする課題】
【０００４】  本考案の目的は、体圧分散効果が高く、かつ、人体に効果的に磁力線を作用させることができるマットレスを提供することにある。
【課題を解決するための手段】
【０００５】  上記目的を達成するために、本考案のマットレスは、積層構造のマットレス本体を備えたマットレスにおいて、
前記マットレス本体は、体と反対側に位置する第１低反発マットと、該第１低反発マットに重ねられる磁力シートと、該磁力シートにさらに重ねられるジェルマットと、体が当接する側の第２低反発マットと、を備えた四層構造で、
前記磁力シートはゴム状弾性を有する高分子材料に磁性粉を分散させ磁化させた可撓性のシート状部材によって構成され、前記ジェルマットは多数の筒状のセルを隙間なく配列したジェル状物質で構成されていることを特徴とする。
本考案によれば、使用時に体と反対側となる下層に位置する第１低反発マットとジェルマットによって、体重を支えて人体が保持される。ジェルマットだけでは、柔らかい感触を得られるものの、柔らかすぎるために底付きが生じるおそれがあるが、第１低反発マットとの組み合わせにより、底付きを防止できる。
ジェルマットは、上下方向だけでなく横方向の衝撃も吸収でき、寝返りや、体を動かした際の衝撃を、柔らかく吸収する。
また、ジェルマットは、格子状の構造で、体に直接当たると、立体構造の凹凸が感じられるが、ジェルマットの上に、第２低反発マットを配置することによって、体に対する当たりが柔らかく、寝心地をよくすることができる。
さらに、第１低反発マットとジェルマットの間に配置される磁力シートは、ジェルマットおよび第１低反発マットの変形に倣って撓み変形し、ジェルマットの快適さが損なわれることがない。また、ジェルマットの圧縮変形量が大きいので、人体と磁力シートの間隔が小さくなり、人体に対して磁力線を効率的に作用させることができる。さらに、磁力シートは、磁化範囲が面状に広がっているので、体がどの位置にあっても、接触部位に十分な磁力線が作用し、血行促進を図ることができる。【０００６】  前記ジェルマットは、前記セルが六角筒形状のハニカム構造とすることが好適である。六角形状とすることで、あらゆる方向の衝撃を吸収する効果が高くなる。
また、前記第１低反発マットの厚さは、前記第２低反発マットの厚さよりも大きい。
このようにすれば、底付きを効果的に防止し、また、ジェルマットの衝撃吸収性を維持しつつ、第２低反発マットによる寝心地のよさを得ることができる。
また、前記マットレス本体は、長手方向に複数に分割され、各分割部がアウタカバーを構成する複数の収納部に収納され、各収納部を接続する接続部において、折り畳み可能となっている。
このように分割構成とすることで、コンパクトに収納できる。
さらに、アウタカバーの収納部に収納される前記マットレス本体の各分割部は、インナカバーに収納されて一体化されていることが好ましい。
このようすれば、アウタカバーの取り換え時に、各積層体がばらばらになることなく、簡単に交換することができる。
【考案の効果】
【０００７】  本考案によれば、体圧分散効果が高く、かつ、人体に効果的に磁力線を作用させることができる。
【図面の簡単な説明】
【０００８】
【図１】図１は本考案の実施形態に係るマットレスを示し、（Ａ）はカバーの一部を破断して示す全体斜視図、（Ｂ）はマットレス本体の部分分解斜視図、（Ｃ）はマットレス本体の部分断面図である。
【図２】図２（Ａ）は図１のマットレスを折り畳んだ状態の斜視図、（Ｂ）は本考案のマットレスの体圧分布の一例を示す図である。
【考案を実施するための形態】
【０００９】  以下に本考案を図示の実施形態に基づいて詳細に説明する。
図１は、本考案の実施形態に係るマットレスを示している。図１（Ａ）はカバーの一部を破断して示す全体斜視図、図１（Ｂ）はマットレス本体の部分分解斜視図、図１（Ｃ）マットレス本体の部分断面図である。
【００１０】  図において、１はマットレス全体を示しており、このマットレス１は、扁平な直方体形状のマットレス本体２と、マットレス本体２を収納するアウタカバー３とを有している。
マットレス本体２は、長手方向に複数、この実施形態では第１分割部２Ａと第２分割部２Ｂに二分割されており、それぞれ、アウタカバー３の、第１収納部３１と第２収納部３２に収納されている。第１分割部２Ａと第２分割部２Ｂは、同一の構成であり、それぞれ、第１低反発マット２１と、第１低反発マット２１に重ねられる磁力シート２２と、磁力シート２２にさらに重ねられるジェルマット２３と、さらに、ジェルマット２３に重ねられる第２低反発マット２４を備えた四層構造の積層体によって構成されている。この実施形態では、４層構造の積層体がインナカバー４に収納され、一体化されている。
【００１１】  アウタカバー３は、第１収納部３１と第２収納部３２が、接続部３３によって接続された構成となっている。接続部３３は、第１収納部３１と第２収納部３２の、裏面側（第１低反発マット２１側）の端部に位置し、図２（Ａ）に示すように、接続部３３において、折り畳み可能となっている。接続部３３の位置は、表面側（第２低反発マット２４側）としてもよい。
【００１２】  第１低反発マット２１および第２低反発マット２４は、いわゆる低反発弾性フォームによって構成される。低反発弾性フォームは、ＪＩＳ  Ｋ  ６４００−３に準拠すれば、反発弾性率が１５％程度以下ものである。低反発弾性フォームは、たとえば、ポリウレタン樹脂を発泡した素材を用いることができる。低反発弾性フォームは、この例では、表側の第２低反発マット２４は、第１低反発マット２１よりも薄い。たとえば、第２低反発マット２４が１０ｍｍ、第１低反発マット２１が３０ｍｍ程度の厚みを有するように成形されている。
【００１３】  磁力シート２２は、ゴム状弾性を有する高分子材料に、フェライト、ネオジウム等の磁性粉を分散させ磁化させた可撓性のシート状部材で、所定間隔で、ほぼ全面的に磁化されている。厚みは、１ｍｍ程度に成形されている。ゴム状弾性を有する材料としては、熱可塑性エラストマー（ＴＰＥ）、各種ゴム材料等を用いることができる。この実施形態では、３５ミリテスラ（３５０ガウス）の磁力を発生する。
着磁範囲は、磁力シート２２のほぼ全面から磁力線が生じるようなパターンとなっていてもよいし、寝返り等を考慮して体が接触する範囲を想定し、想定範囲に着磁しておいてもよい。着磁パターンとしては、長手方向と直交方向に延びる筋状の磁極パターンが所定間隔で繰り返し長手方向に多数配列されるような多極着磁パターンとすることができるし、斜めになっていてもよいし、磁極パターンが曲線となっていてもよく、種々のパターンを選択することができる。
【００１４】  ジェルマット２３は、ＴＰＥ（熱可塑性エラストマー）ジェル状エラストマー、ジェル状粘弾性エラストマー等のジェル状物質で構成されるクッション体であり、六角筒状の単位要素であるセル２３ａが隙間なく配列されたハニカム構造となっている。セル２３ａに空洞が開いており、柔軟で自由に変形可能である。変形方向は、圧縮方向だけでなく、圧縮方向に対して直交する水平方向にも変形可能で、水平方向については、マットレス１の長手方向、長手方向と直交する方向、長手方向に４５度の方向等、いずれの方向にも偏りなく等方性を有する。セル２３ａの構造は六角筒状に限定されず、四角筒形状、三角筒形状、円筒形状等、種々の形状を採用することができる。
【００１５】  このジェルマット２３の厚さは、約１７．５ｍｍであり、第１低反発マット２１、磁力シート２２、第２低反発マット２４を合わせて、５８．５ｍｍ、各層間の隙間、インナカバー４、アウタカバー３を含めて、全体の厚さは、約６０ｍｍ程度である。また、全体の長さは１８００ｍｍ、幅は１０００ｍｍ程度となっている。
アウタカバー３およびインナカバー４は、ポリエステル１００％の布地によって構成される。この布地は織物組織、編物組織等、伸縮性を有する種々の構造布地を適用可能である。
【００１６】  本実施形態のマットレス１は、使用時に体と反対側となる下層に位置する第１低反発マット２１とジェルマット２３によって、体重を支えて人体が保持される。ジェルマット２３だけでは、柔らかい感触を得られるものの、柔らかすぎるために底付きが生じるおそれがあるが、第１低反発マット２１との組み合わせにより、底付きを防止できる。
【００１７】  ジェルマット２３は、上下方向だけでなく横方向の衝撃も吸収でき、寝返りや、体を動かした際の衝撃を、柔らかく吸収する。特に、セルが六角筒形状のハニカム構造とすることで、あらゆる方向の衝撃を吸収する効果が高くなる。また、ジェルマット２３は、格子状の構造で、体に直接当たると、立体構造の凹凸が感じられるが、ジェルマット２３の上に、第２低反発マット２４を配置することによって、体に対する当たりが柔らかく、寝心地をよくすることができる。
特に、第１低反発マット２１の厚さは、第２低反発マット２４の厚さよりも大きいので、底付きを効果的に防止し、また、ジェルマット２３の衝撃吸収性を維持しつつ、第２低反発マット２４による寝心地のよさを得ることができる。
【００１８】  さらに、第１低反発マット２１とジェルマット２３の間に配置される磁力シート２２は、ジェルマット２３および第１低反発マット２１の変形に倣って撓み変形し、ジェルマット２３の快適さが損なわれることがない。また、第２低反発マット２４およびジェルマット２３の圧縮変形量が大きいので、人体と磁力シート２２の間隔が小さくなり、人体に対して磁力線を効率的に作用させることができる。さらに、磁力シート２２は、磁化範囲が面状に広がっているので、体がどの位置にあっても、接触部位に十分な磁力線が作用し、血行促進を図ることができる。
【００１９】  また、マットレス本体２が、アウタカバー３を構成する第１収納部３１と第２収納部３２を接続する接続部３３において、折り畳み可能となっているので、コンパクトに収納できる。さらに、アウタカバー３の第１収納部３１および第２収納部３２に収納されるマットレス本体２の第１分割部２Ａおよび第２分割部２Ｂが、インナカバー４に収納されて一体化されているので、アウタカバー３の取り換え時に、各積層体がばらばらになることなく、簡単に交換することができる。
【００２０】  図２（Ｂ）は、本考案のマットレスに仰向けに寝た際の、寝姿勢を模式的に示した図である。
本考案のマットレスは、背中の肩甲骨付近、臀部の尾てい骨付近、さらに、下肢のふくらはぎ付近が適度に沈みこみ、体圧を分散させることにより、Ｓ字状の理想の寝姿勢を作ることができる。
【００２１】  なお、上記実施形態では、マットレスを２分割として説明したが、３分割、４分割以上としてもよく、分割数は任意である。また、分割せずに長尺の一つのマットレス本体をカバーに収納する構成としてもよい。また、上記実施形態では、インナカバー４に、第１低反発マット２１、磁力シート２２、ジェルマット２３および第２低反発マット２４の４層の芯材を収納してまとめているが、インナカバー４を省略してアウタカバー３に直接収納するようにしてもよい。
【符号の説明】
【００２２】１  マットレス
２  マットレス本体
２Ａ  第１分割部、２Ｂ第２分割部
２１  第１低反発マット
２２  磁力シート
２３  ジェルマット、２３ａ  セル
２４  第２低反発マット
３  アウタカバー、３１  第１収納部、３２  第２収納部、３３  接続部
４  インナカバー
【図１】
0003234739.tif 000003
【図２】
0003234739.tif 000004